(57)【特許請求の範囲】
【請求項１】
鉄塔周辺の温度及び湿度を測定する測定装置と、
前記温度が所定以上であるとともに前記湿度が所定以上である時間の累積時間が所定の第１時間となると、前記累積時間が前記第１時間となることを判定するとともに前記累積時間を初期化する判定装置と、
前記累積時間が前記第１時間となることを前記判定装置が判定した場合、前記累積時間が前記第１時間となる回数を機械的に記憶する記憶装置と、
を備え、
前記判定装置は、
前記第１時間より短い第２時間毎に、前記温度が所定以上であるとともに前記湿度が所定以上であるか否かを判定する第１判定部と、
前記温度が所定以上であるとともに前記湿度が所定以上であると前記第１判定部が判定する毎に、前記第２時間を累積した時間を前記累積時間として記憶する記憶部と、
前記記憶部に記憶された前記累積時間が前記第１時間となることを判定するとともに、前記記憶部に記憶された前記累積時間を初期化する第２判定部と、
を含むことを特徴とする計測装置。
【請求項２】
請求項１に記載の計測装置であって、
前記判定装置は、
時間を計時する計時部と、
前記計時部が前記第２時間を計時する毎に前記第１及び第２判定部を起動させる起動部と、
を更に含むことを特徴とする計測装置。
【請求項３】
請求項１または請求項２に記載の計測装置であって、
前記記憶部は、
前記温度が所定以上であるとともに前記湿度が所定以上であると前記第１判定部が判定する毎に、前記累積時間を示すカウント値を更新して電気的に記憶するカウンタであり、
前記第２判定部は、
前記カウント値が前記第１時間を示す所定値となると、前記第２時間が累積された時間が前記第１時間となることを判定するとともに、前記カウント値をリセットすること、
を特徴とする計測装置。
【請求項４】
請求項１〜３の何れか一項に記載の計測装置であって、
前記測定装置及び前記判定装置を動作させる電池を更に備えること、
を特徴とする計測装置。
【請求項５】
請求項１〜４の何れか一項に記載の計測装置であって、
前記記憶装置は、
前記累積時間が前記第１時間となることが判定された場合、カウント値が更新される電磁カウンタであること、
を特徴とする計測装置。
【請求項６】
請求項５に記載の計測装置であって、
前記判定装置は、
前記判定装置を動作させるための電源が供給されると起動し、前記電磁カウンタに表示される回数を変更させること、
を特徴とする計測装置。
【発明の詳細な説明】
【技術分野】
【０００１】
本発明は、計測装置に関する。
【背景技術】
【０００２】
電力系統に設けられた鉄塔のメンテナンス時期を、鉄塔の腐食速度から求める技術が知られている（例えば、特許文献１参照）。鉄塔の腐食速度は、鉄塔の濡れ時間（例えば、温度が０℃以上、かつ湿度が８０％以上である時間）により変化するため、濡れ時間を正確に把握する必要がある（例えば、特許文献２参照）。
【先行技術文献】
【特許文献】
【０００３】
【特許文献１】特開２００５−３３７８３８号公報
【特許文献２】特開２００８−２２４４０５号公報
【発明の概要】
【発明が解決しようとする課題】
【０００４】
ところで、濡れ時間を計測する一般的な計測装置では、鉄塔の周辺の温度、湿度に基づいて得られる濡れ時間を電気的なメモリに記憶する。このため、例えば、鉄塔に落雷が発生した場合、メモリに記憶された濡れ時間が消失してしまうことがある。
【０００５】
本発明は上記課題を鑑みてなされたものであり、落雷が発生した場合であっても濡れ時間の消失を防ぐことができる計測装置を提供することを目的とする。
【課題を解決するための手段】
【０００６】
上記目的を達成するため、本発明の一つの側面に係る計測装置は、鉄塔周辺の温度及び湿度を測定する測定装置と、前記温度が所定以上であるとともに前記湿度が所定以上である時間の累積時間が所定の第１時間となると、前記累積時間が前記第１時間となることを判定するとともに前記累積時間を初期化する判定装置と、前記累積時間が前記第１時間となることを前記判定装置が判定した場合、前記累積時間が前記第１時間となる回数を機械的に記憶する記憶装置と、を備え、前記判定装置は、前記第１時間より短い第２時間毎に、前記温度が所定以上であるとともに前記湿度が所定以上であるか否かを判定する第１判定部と、前記温度が所定以上であるとともに前記湿度が所定以上であると前記第１判定部が判定する毎に、前記第２時間を累積した時間を前記累積時間として記憶する記憶部と、前記記憶部に記憶された前記累積時間が前記第１時間となることを判定するとともに、前記記憶部に記憶された前記累積時間を初期化する第２判定部と、を含む。
【発明の効果】
【０００７】
本発明によれば、落雷が発生した場合であっても濡れ時間の消失を防ぐことができる計測装置を提供することができる。
【図面の簡単な説明】
【０００８】
【図１】本発明の一実施形態である計測装置１０の一例を示す図である。
【図２】マイコン２１の詳細を示す図である。
【図３】マイコン２１の動作を説明するためのフローチャートである。
【発明を実施するための形態】
【０００９】
本明細書および添付図面の記載により、少なくとも以下の事項が明らかとなる。  
図１は、本発明の一実施形態である計測装置１０の構成を示す図である。計測装置１０は、電力系統に設けられた鉄塔１００の周辺の温度、および湿度に基づいて、濡れ時間を計測する装置である。なお、ここで濡れ時間とは、例えば、温度が０℃以上、かつ湿度が８０％以上となる時間である。
【００１０】
計測装置１０は、センサ２０、マイコン２１、電磁カウンタ２２、電池３０、及び電源回路３１を含んで構成される。
【００１１】
センサ２０（測定装置）は、鉄塔１００の周辺の温度、及び湿度を測定するセンサである。また、センサ２０は、マイコン２１からの指示に基づいて、測定した温度、湿度をデジタルデータに変換してマイコン２１へと出力する。
【００１２】
マイコン２１（判定装置）は、センサ２０からの出力に基づいて、温度が０℃以上であるとともに、湿度が８０％以上である時間の累積時間ＴＡが所定時間Ｔ１（例えば、１時間）となるか否かを繰り返し判定する。具体的には、マイコン２１は、累積時間ＴＡが所定時間Ｔ１となることを判定すると、累積時間ＴＡを初期化（例えば、累積時間ＴＡをゼロ）し、再度、累積時間ＴＡが所定時間Ｔ１となるか否かを判定する。また、マイコン２１は、累積時間ＴＡが所定時間Ｔ１となると、電磁カウンタ２２のカウント値ＣＮＴ１をインクリメントする。なお、マイコン２１の詳細については後述する。
【００１３】
電磁カウンタ２２（記憶装置）は、マイコン２１からの指示に応じてカウント値ＣＮＴ１を機械的に更新して表示するカウンタである。なお、電磁カウンタ２２は、マイコン２１からの指示がない場合カウント値ＣＮＴ１を保持し続けるため、カウント値ＣＮＴ１を記憶する記憶装置として動作する。
【００１４】
電池３０は、計測装置１０を動作させるための電池であり、電源回路３１は、センサ２０、及びマイコン２１を動作させるための所定の電源を生成する。
【００１５】
＝＝マイコン２１の詳細＝＝
ここで、図２を参照しつつ、マイコン２１の詳細を説明する。マイコン２１は、タイマ５０、メモリ５１、及びＣＰＵ５２を含んで構成される。
【００１６】
タイマ５０（計時部）は、マイコン２１に電源が供給されると時間の計時を開始する。メモリ５１は、ＣＰＵ５２が実行するプログラムデータや各種データを記憶する。
【００１７】
ＣＰＵ５２は、メモリ５１に記憶されたプログラムデータを実行することにより各種機能ブロックを実現する。具体的には、ＣＰＵ５２は、判定部６０，６２、カウンタ６１、制御部６３、及び起動部６４を実現する。
【００１８】
判定部６０（第１判定部）は、所定時間Ｔ１より短い所定時間Ｔ２ごとに、センサ２０からの出力を取得して、温度が０℃以上であるとともに湿度が８０％以上であるか否かを判定する。なお、時間Ｔ２は、例えば鉄塔１００の周辺の温度、湿度の変化が無視できる程度に十分短い時間（例えば、６分）であることとする。
【００１９】
カウンタ６１（記憶部）は、判定部６０が、温度が０℃以上であるとともに湿度が８０％以上であると判定する毎に、カウント値ＣＮＴ２をインクリメントする。したがって、カウント値ＣＮＴ２が“１”増加すると、温度が０℃以上であるとともに湿度が８０％以上である時間が所定時間Ｔ２だけ増加したこととなる。このように、カウンタ６１は、時間Ｔ２を累積して累積時間ＴＡとして記憶する。
【００２０】
判定部６２（第２判定部）は、カウンタ６１のカウント値ＣＮＴ２が前述した所定時間Ｔ１を示す所定値となると、累積時間ＴＡが所定時間Ｔ１となることを判定するとともに、カウンタ６１のカウント値ＣＮＴ２をリセットする。なお、本実施形態では、所定時間Ｔ２と所定値との積（Ｔ２×所定値）が所定時間Ｔ１とるように所定値が定められる。
【００２１】
制御部６３は、累積時間ＴＡが所定時間Ｔ１となることが判定されると、電磁カウンタ２２のカウント値ＣＮＴ１をインクリメントする。また、制御部６３は、マイコン２１に電源が供給されると、電磁カウンタ２２が正常に動作するか否かを利用者に判定させるためにカウント値ＣＮＴ１をインクリメントする。
【００２２】
起動部６４は、タイマ５０の出力に基づいて、所定時間Ｔ２毎に判定部６０，６２を起動、停止を繰り返す。具体的には、起動部６４は、判定部６０，６２が起動させると、判定部６０，６２に前述した判定処理を実行させる。また、起動部６４は、前述した判定処理が実行されると、判定部６０，６２で消費される電流がほぼゼロとなるように、判定部６０，６２の動作を停止させる。なお、起動部６４は、タイマ５０が起動したこと検出すると、判定部６０，６２を一旦停止させる。
【００２３】
＝＝マイコン２１の動作＝＝
ここで、図３を参照しつつ、マイコン２１の動作について説明する。まず、マイコン２１に電源が供給されてマイコン２１が起動すると、制御部６３は、電磁カウンタ２２の動作が正常に動作するかを判定させるべく、カウント値ＣＮＴ１をインクリメントする。（Ｓ１００）。そして、タイマ５０は起動して計時を開始し（Ｓ１０１）、起動部６４は、判定部６０，６２を停止させる（Ｓ１０２）。その後、起動部６４は、タイマ５０の計時結果に基づいて、所定時間Ｔ２が経過したか否かを判定する（Ｓ１０３）。起動部６４は、判定部６０，６２を停止させてから所定時間Ｔ２が経過するまで（Ｓ１０３：ＮＯ）、判定部６０，６２を停止させ続ける。一方、起動部６４は、判定部６０，６２を停止させてから所定時間Ｔ２が経過すると（Ｓ１０３：ＹＥＳ）、判定部６０，６２を起動させる（Ｓ１０４）。
【００２４】
判定部６０は、センサ２０からの出力を取得し、温度が０℃以上であるとともに湿度が８０％以上であるか否かを判定する（Ｓ１０５）。判定部６０が、温度が０℃以上であるとともに湿度が８０％以上でないことを判定すると（Ｓ１０５：ＮＯ）、処理Ｓ１０２が実行される。一方、判定部６０が、温度が０℃以上であるとともに湿度が８０％以上であることを判定すると（Ｓ１０５：ＹＥＳ）、カウンタ６１は、カウント値ＣＮＴ２をインクリメントする（Ｓ１０６）。そして、判定部６２は、カウント値ＣＮＴ２が、所定値であるか否か、すなわち、累積時間ＴＡが所定時間Ｔ１となるか否かを判定する（Ｓ１０７）。カウント値ＣＮＴ２が所定値でない場合、すなわち、累積時間ＴＡが所定時間Ｔ１でない場合（Ｓ１０７：ＮＯ）、処理Ｓ１０２が実行される。一方、カウント値ＣＮＴ２が所定値となる場合、すなわち、累積時間ＴＡが所定時間Ｔ１となる場合（Ｓ１０７：ＹＥＳ）、制御部６３は、電磁カウンタ２２のカウント値ＣＮＴ１をインクリメントし（Ｓ１０８）、判定部６２は、カウンタ６１のカウント値ＣＮＴ２をリセットする（Ｓ１０９）。その後、処理１０２が再び実行される。このように、本実施形態のマイコン２１は、濡れ時間の累積時間ＴＡが所定時間Ｔ１となる毎に、電磁カウンタ２２のカウント値ＣＮＴ１をインクリメントし続ける。ところで、前述のように、本実施形態では計測装置１０の起動時に、電磁カウンタ２２が正常に動作するかを判定させるべくカウント値ＣＮＴ１がインクリメントされる。したがって、計測装置１０が起動されてからの濡れ時間の合計は、カウント値ＣＮＴ１から“１”を減算した値と所定時間Ｔ１との積で表されることになる。
【００２５】
以上、本実施形態の計測装置１０について説明した。例えば、鉄塔１００に落雷が発生した場合、マイコン２１は破壊されることがある。しかしながら、電磁カウンタ２２は、濡れ時間が所定時間Ｔ１となる回数を機械的に記憶している。したがって、本実施形態では、落雷が発生しても、電磁カウンタ２２に記憶された濡れ時間の消失を防ぐことが可能となる。
【００２６】
また、マイコン２１は、所定時間Ｔ２毎にセンサ２０からの出力を取得し、温度が０℃以上であるとともに湿度が８０％以上であるか否かを判定している。このため、例えば常にセンサ２０からの出力を取得し続けて、温度が０℃以上であるか等を判定し続ける場合と比較すると、マイコン２１の消費電力を削減できる。
【００２７】
また、起動部６４は、所定時間Ｔ２毎に判定部６０，６２の起動、停止を繰り替えしているため、マイコン２１の消費電力を削減できる。
【００２８】
また、例えば、所定時間Ｔ１より短い所定時間Ｔ２ごとに電磁カウンタ２２をインクリメントしても良いが、その場合、電磁カウンタ２２のカウント値を更新する回数が増加する。一般に、マイコン２１の内部のカウンタ６１のカウント値ＣＮＴ２をインクリメントさせる場合と、電磁カウンタ２２のカウント値ＣＮＴ１をインクリメントさせる場合とを比較すると、後者の方が消費電力は大きくなる。本実施形態では、所定時間Ｔ２ごとに電磁カウンタ２２のカウント値ＣＮＴ１をインクリメントさせず、カウンタ６１のカウント値ＣＮＴ２をインクリメントさせている。したがって、短い所定時間Ｔ２の間隔で温度等を測定する場合であっても、マイコン２１の消費電力の増加を抑制できる。
【００２９】
一般に、鉄塔１００の周辺においては、計測装置１０を動作させる商用電源等を確保することが難しい。本実施形態の計測装置１０は、電池３０で動作するため、鉄塔１００の周辺環境によらず計測装置１０を設置することができる。
【００３０】
例えば、濡れ時間の累積時間ＴＡが所定時間Ｔ１となる回数のみを記憶させる場合、一般的な機械式カウンタを用いても良い。その場合は、マイコン２１の出力に基づいて、機械式カウンタのカウント値を変化させる装置が必要となる。しかしながら、本実施形態では電磁カウンタ２２を用いているため、部品点数が削減できる。
【００３１】
また、マイコン２１は、電源が供給されると、電磁カウンタ２２のカウント値ＣＮＴ１をインクリメントする。このため、例えば計測装置１０を設置した際に電磁カウンタ２２が正常に動作するか否かの確認をすることができる。本実施形態では、カウント値ＣＮＴ１をインクリメントさせたが、例えば、インクリメントさせた後にデクリメントさせても良い。つまり、電磁カウンタ２２が正常に動作するか否かが確認できるようカウント値ＣＮＴ１を変化させれば良い。
【００３２】
前述した実施の形態は、本発明の理解を容易にするためのものであり、本発明を限定して解釈するためのものではない。本発明は、その趣旨を逸脱することなく変更、改良されるとともに、本発明にはその等価物も含まれる。
【符号の説明】
【００３３】
１０  計測装置
２０  センサ
２１  マイコン
２２  電磁カウンタ
３０  電池
３１  電源回路
５０  タイマ
５１  メモリ
５２  ＣＰＵ
６０，６２  判定部
６１  カウンタ
６３  制御部
６４  起動部
１００  鉄塔  
【図１】
0005274609.tif 000002
【図２】
0005274609.tif 000003
【図３】
0005274609.tif 000004